【手続補正書】
【提出日】令和3年2月5日(2021.2.5)
【手続補正１】
【補正対象書類名】明細書
【補正対象項目名】全文
【補正方法】変更
【補正の内容】
【発明の詳細な説明】
【発明の名称】使い捨て着用物品
【技術分野】
【０００１】
本発明は、弾性フィルム等の弾性シートにより弾性伸縮する伸縮部材を備えた使い捨て着用物品に関する。
【背景技術】
【０００２】
使い捨ておむつ等の使い捨て着用物品においては、身体表面へのフィット性を向上するために、脚周りや胴周り等の適所に伸縮性を付与することが一般的である。伸縮性を付与するための手法としては、従来、糸ゴム等の細長状弾性部材をその長手方向に伸長した状態で取り付ける手法が広く採用されているが、ある程度の幅で伸縮性を付与したい場合には、糸ゴムを幅に間隔を置いて並べて配置した状態で固定する態様が採用されている。また、さらに面としてのフィット性に優れるものとして、弾性シートを伸縮性の付与方向に伸長した状態で取り付ける手法も提案されている。（例えば特許文献１及び特許文献２参照）。
【０００３】
この弾性シートを含む伸縮部材は、第１シート層と第２シート層との間に弾性シートが積層されるとともに、弾性シートが伸縮方向に伸長された状態で、第１シート層及び第２シート層が、伸縮方向及びこれと直交する方向にそれぞれ間隔を空けて配列された多数の点状のシート接合部で、弾性シートに形成された接合孔を通じて溶着されてなるものである。そして、この伸縮部材は、自然長状態では、シート接合部間において弾性シートが収縮するのに伴い、シート接合部の間隔が狭くなり、第１シート層及び第２シート層におけるシート接合部間に伸縮方向と交差する方向に延びる襞が形成される。反対に伸長時には、シート接合部間において弾性シートが伸長するのに伴い、シート接合部の間隔及び第１シート層及び第２シート層における襞が広がり、第１シート層及び第２シート層の完全展開状態まで弾性伸長が可能となる。この弾性シートによる伸縮領域は、面的なフィット性に優れるのはもちろん、第１シート層及び第２シート層と弾性シートとの接合が無く、かつ第１シート層及び第２シート層の接合も極めて少ないため非常に柔軟であり、また、弾性シートの接合孔が通気性向上にも寄与するという利点がある。
【０００４】
他方、パンツタイプ使い捨ておむつ等の使い捨て着用物品において、上述の弾性シートを含む伸縮部材を採用する場合、構造の簡素化及び資材コストの抑制のためには、同一の弾性シートによりできるだけ広範囲に伸縮領域を形成することが望まれる。
【０００５】
また、一般に、使い捨て着用物品では、ウエスト部には強い締め付け力が要求されるのに対して、前後のウエスト部の間に位置するウエスト隣接部はウエスト部よりも締め付け力を弱くすることが望ましい。
【０００６】
しかし、同一の弾性シートを有する部分は、通常では伸縮方向と直交する方向に締め付け力を変化させることができない。したがって、ウエスト部にウエスト隣接部よりも強い締め付け力をもたせることは困難となっている。これを解決する手法の一つとして、特許文献３では、ウエスト部における弾性シートの折り返しにより、弾性シートの積層数を向上させることが提案されているが、ウエスト部の厚みが増加するという問題点がある。他の解決手法としては、ウエスト部にだけ細長状弾性部材を設けるといった、従来から広く用いられている構造を採用することも提案されているが、より簡素な構造として弾性シートのみによる解決策が望まれている。
【先行技術文献】
【特許文献】
【０００７】
【特許文献１】特表２００４−５３２７５８号公報
【特許文献２】特開２０１６−１８９９３２号公報
【特許文献３】特開２０１６−１８７３８７号公報
【発明の概要】
【発明が解決しようとする課題】
【０００８】
そこで、本発明の主たる課題は、単一の弾性シートによりウエスト部及びウエスト隣接部に伸縮性が付与されるものでありながら、ウエスト部の厚み増加なく、ウエスト部をより強く締め付けることができる使い捨ておむつを提供することにある。
【課題を解決するための手段】
【０００９】
上記課題を解決した伸縮部材及びこの伸縮部材を有する使い捨て着用物品、並びに伸縮部材の製造方法は以下のとおりである。
＜第１の態様＞
ウエスト部と、ウエスト部に隣接するウエスト隣接部とを有する伸縮部材を備えた、使い捨て着用物品において、
前記伸縮部材における前記ウエスト部及び前記ウエスト隣接部は、第１シート層、第２シート層、及びこれらの間に介在された弾性シートを有しており、
前記弾性シートは、前記ウエスト部から前記ウエスト隣接部にわたり連続しており、
前記第１シート層及び第２シート層は、間隔を空けて配列されたシート接合部で、弾性シートを貫通する接合孔を通じて溶着されており、
前記伸縮部材における前記ウエスト部及び前記ウエスト隣接部は、前記弾性シートの収縮により幅方向に収縮しているとともに幅方向に伸長可能な伸縮領域を有しており、
前記ウエスト部の伸縮領域には、展開状態で、前記接合孔を有しない部分が幅方向に沿って連続する無孔帯と、前記シート接合部が幅方向に間隔を空けて配置された接合帯とが、幅方向と直交する直交方向に交互に繰り返し設けられており、
前記ウエスト隣接部の伸縮領域には、展開状態で、前記接合孔を有しない部分が幅方向に沿って連続する無孔帯が設けられるとともに、前記ウエスト部における複数本の前記無孔帯の前記直交方向の寸法が、前記ウエスト隣接部の無孔帯の前記直交方向の寸法よりも長いか、又は、前記無孔帯が設けられていない、
ことを特徴とする使い捨て着用物品。
【００１０】
（作用効果）
弾性シートを含む伸縮部材により発揮される締め付け力は弾性シートの伸長応力と接触面積によりほぼ決まり、弾性シートの伸長応力の強さは基本的に弾性シートの断面積（厚み一定であれば幅方向と直交する直交方向の寸法）で決まる。さらに、本伸縮構造では、シート接合部を有する部分では弾性シートの連続性がなくなる。そのため、本伸縮構造において伸長応力に寄与する弾性シートの断面積は基本的に無孔帯の直交方向の寸法により決まる。ここで、本伸縮構造では、ウエスト部におけるにおける複数本の無孔帯の直交方向の寸法がウエスト隣接部の無孔帯の直交方向の寸法よりも長いか、又はウエスト隣接部に無孔帯が設けられていない。したがって、本態様の使い捨て着用物品は、ウエスト部及びウエスト隣接部にわたる同一の弾性シートにより伸縮するものでありながら、ウエスト部の厚み増加なく、つまりウエスト部の弾性シートが単層（折り返しなどにより複数層になっていない）であっても、ウエスト部をより強く締め付けることができる。
【００１１】
＜第２の態様＞
前記弾性シートは、厚み２０〜４０μｍの弾性フィルムであり、
前記ウエスト部における複数本の無孔帯の前記直交方向の寸法が２〜５ｍｍであり、
前記ウエスト隣接部の無孔帯の前記直交方向の寸法は、前記ウエスト部における複数本の無孔帯の前記直交方向の寸法の０．２５倍以下であるか、又は、前記ウエスト隣接部に前記無孔帯が設けられていない、
第１の態様の使い捨て着用物品。
【００１２】
（作用効果）
ウエスト部の無孔帯の直交方向の寸法は特に限定されてないが、弾性シートが本態様のような厚みの弾性フィルムである場合、ウエスト部における複数本の無孔帯の直交方向の寸法等は本態様の範囲内であることが好ましい。
【００１３】
＜第３の態様＞
前記ウエスト部の接合帯に位置する前記接合孔は、自然長状態の形状が、前記幅方向に細長く、かつ上縁及び下縁が直線状の形状である、
第１又は２の態様の使い捨て着用物品。
【００１４】
（作用効果）
接合孔の形状は特に限定されるものではないが、本伸縮構造では、同じ弾性シートの使用面積で比較した場合、接合孔の直交方向の寸法が短いほど、ウエスト部の締め付け力を強くすることができるため好ましい。また、この場合、第１シート層及び第２シート層を広範囲にわたり接合しつつ、シート接合部４０の面積を小さくすることができ、柔軟性及び通気性に優れるようになる。
【００１５】
＜第４の態様＞
前記ウエスト部の無孔帯の前記直交方向の寸法が、ウエスト開口の縁に近づくにつれて長くなっている、
第１〜３のいずれか１つの態様の使い捨て着用物品。
【００１６】
（作用効果）
本態様では、ウエスト部の縁に近いほど肌との密着性が高くなるため、ウエスト部の密着性を重視する場合に好適である。
【００１７】
＜第５の態様＞
前記ウエスト部の無孔帯の前記直交方向の寸法が、ウエスト開口の縁に近づくにつれて短くなっている、
第１〜３のいずれか１つの態様の使い捨て着用物品。
【００１８】
（作用効果）
本態様では、ウエスト部の縁に近いほど締め付け力が弱くなるため、装着状態でウエスト部と肌との間に簡単に指を入れて使い捨て着用物品をつかむことができる。よって、例えばパンツタイプ使い捨て着用物品であれば、装着状態でウエスト部を容易につかむことができ、パンツタイプ使い捨ておむつの上げ下ろし作業が容易になる。
【００１９】
＜第６の態様＞
前記ウエスト部の無孔帯の前記直交方向の寸法が、前記ウエスト部の幅方向の中間ではウエスト開口の縁に近づくにつれて長くなり、これよりも幅方向の外側ではウエスト開口の縁に近づくにつれて短くなっている、
第１〜３のいずれか１つの態様の使い捨て着用物品。
【００２０】
（作用効果）
本態様では、ウエスト部の無孔帯の直交方向の寸法が、幅方向の位置により変化する。ここで、本態様における、無孔帯の直交方向の寸法が長い部分は弾性シートの面積が大きくなるものの、その幅方向の少なくとも一方は直交方向の寸法が短いため、締め付け力としては弱くなる。この結果、本態様では、腹部を締め付ける部分ではウエスト部の縁に近いほど締め付け力が弱くなり、腸骨に接する部分ではウエスト部の縁から遠ざかるほど締め付け力が弱くなるため、ウエスト部のフィット性がより一層良好となる。
【００２１】
＜第７の態様＞
ウエスト部と、ウエスト部に隣接するウエスト隣接部とを有する伸縮部材を備えた、使い捨て着用物品において、
前記伸縮部材における前記ウエスト部及び前記ウエスト隣接部は、第１シート層、第２シート層、及びこれらの間に介在された弾性シートを有しており、
前記第１シート層及び第２シート層は、間隔を空けて配列されたシート接合部で、弾性シートを貫通する接合孔を通じて溶着されており、
前記伸縮部材における前記ウエスト部及び前記ウエスト隣接部は、前記弾性シートの収縮により幅方向に収縮しているとともに幅方向に伸長可能な伸縮領域を有しており、
前記ウエスト部の伸縮領域には、展開状態で、前記シート接合部を有しない部分が幅方向に沿って連続する無接合帯と、前記シート接合部が幅方向に間隔を空けて配置された接合帯とが、幅方向と直交する直交方向に交互に繰り返し設けられ、
前記ウエスト部の伸縮領域における各無接合帯には、前記弾性シートが前記直交方向に分断された弾性帯が配置され、
前記ウエスト隣接部の伸縮領域には、展開状態で、前記接合孔を有しない部分が幅方向に沿って連続する無孔帯が設けられるとともに、前記ウエスト部におけるにおける複数本の前記弾性帯の前記直交方向の寸法が、前記ウエスト隣接部の無孔帯の前記直交方向の寸法よりも長いか、又は、前記無孔帯が設けられていない、
ことを特徴とする使い捨て着用物品。
【００２２】
（作用効果）
本第７の態様においては、ウエスト部の弾性帯は弾性シートの分断により形成されているとともに、ウエスト部における複数本の弾性帯の直交方向の寸法がウエスト隣接部の無孔帯の直交方向の寸法よりも長いか、又はウエスト隣接部に無孔帯が設けられていない。したがって、単一の弾性シートによりウエスト部及びウエスト隣接部に伸縮性が付与されるものでありながら、ウエスト部の厚み増加なく、つまり弾性シートが単層（折り返しなどにより複数層になっていない）であっても、ウエスト部をより強く締め付けることができる。さらに、弾性シートがウエスト部からウエスト隣接部にわたり連続せずに、ウエスト部の伸縮領域に弾性シートが分断された弾性帯が設けられるため、ウエスト部の外観がウエスト隣接部の外観と異なり、ウエスト部の外観を目立たせることが可能となる。
【００２３】
＜第８の態様＞
前記弾性シートは、厚み２０〜４０μｍの弾性フィルムであり、
前記ウエスト部における複数本の弾性帯の前記直交方向の寸法が２〜５ｍｍであり、
前記ウエスト隣接部の無孔帯の前記直交方向の寸法は、前記ウエスト部における複数本の弾性帯の前記直交方向の寸法の０．２５倍以下であるか、又は、前記ウエスト隣接部に前記無孔帯が設けられていない、
第７の態様の使い捨て着用物品。
【００２４】
＜第９の態様＞
前身頃から後身頃にわたる一体的な外装体、又は前身頃及び後身頃に別々に設けられた外装体と、この外装体の幅方向中間部に取り付けられた、股間部の前後両側にわたる内装体と、前身頃における外装体の両側部と後身頃における外装体の両側部とがそれぞれ接合されたサイドシール部と、ウエスト開口及び左右一対の脚開口とを備えた、パンツタイプの使い捨て着用物品であって、
前記外装体が前記伸縮部材である、
第１〜８のいずれか１つの態様の使い捨て着用物品。
【００２５】
（作用効果）
前述の伸縮部材は、本態様のように、パンツタイプの使い捨て着用物品の外装体に好適なものである。
【発明の効果】
【００２６】
本発明によれば、単一の弾性シートによりウエスト部及びウエスト隣接部に伸縮性が付与されるものでありながら、ウエスト部の厚み増加なく、ウエスト部をより強く締め付けることができる、等の利点がもたらされる。
【図面の簡単な説明】
【００２７】
【図１】展開状態のパンツタイプ使い捨ておむつの平面図（内面側）である。
【図２】展開状態のパンツタイプ使い捨ておむつの平面図（外面側）である。
【図３】展開状態のパンツタイプ使い捨ておむつの要部のみ示す平面図である。
【図４】（ａ）は図１のＣ−Ｃ断面図、（ｂ）は図１のＥ−Ｅ断面図である。
【図５】図１のＡ−Ａ断面図である。
【図６】図１のＢ−Ｂ断面図である。
【図７】（ａ）は伸縮領域の要部平面図、（ｂ）は（ａ）のＤ−Ｄ断面図、（ｃ）は装着状態における断面図、（ｄ）は自然長状態における断面図である。
【図８】ある程度伸長した外装体の要部断面を概略的に示す断面図である。
【図９】（ａ）は伸縮領域の要部平面図、（ｂ）は（ａ）のＤ−Ｄ断面図、（ｃ）は装着状態における断面図、（ｄ）は自然長状態における断面図である。
【図１０】シート接合部の各種配列を示す平面図である。
【図１１】展開状態の伸縮領域の平面図である。
【図１２】展開状態の伸縮領域の要部を拡大して示す平面図である。
【図１３】自然長状態の伸縮領域の要部を拡大して示す平面図である。
【図１４】（ａ）は図１２のＤ−Ｄ断面図、（ｂ）は自然長状態における断面図である。
【図１５】展開状態の伸縮領域の平面図である。
【図１６】展開状態の伸縮領域の要部を拡大して示す平面図である。
【図１７】自然長状態の伸縮領域の要部を拡大して示す平面図である。
【図１８】超音波シール装置の概略図である。
【図１９】展開状態の伸縮領域の要部を拡大して示す平面図である。
【図２０】展開状態の伸縮領域の要部を拡大して示す平面図である。
【図２１】展開状態の伸縮領域の要部を拡大して示す平面図である。
【図２２】展開状態の伸縮領域の要部を拡大して示す平面図である。
【図２３】展開状態の伸縮領域の要部を拡大して示す平面図である。
【図２４】展開状態の伸縮領域の要部を拡大して示す平面図である。
【発明を実施するための形態】
【００２８】
以下、添付図面に示されたパンツタイプ使い捨ておむつの例に基づいて、弾性シートを含む伸縮部材を備えたい使い捨て着用物品について詳説する。なお、断面図中の点模様部分はホットメルト接着剤等の接合手段を示している。
【００２９】
図１〜図６は、パンツタイプ使い捨ておむつを示している。符号ＬＤ（縦方向）は前後方向を、ＷＤは幅方向を示している。このパンツタイプ使い捨ておむつ（以下、単におむつともいう。）は、前身頃Ｆ及び後身頃Ｂをなす外装体２０と、この外装体２０の内面に固定され一体化された内装体１０とを有しており、内装体１０は液透過性のトップシート１１と液不透過性シート１２との間に吸収体１３が介在されてなるものである。製造に際しては、外装体２０の内面（上面）に対して内装体１０の裏面がホットメルト接着剤などの接合手段によって接合された後に、内装体１０及び外装体２０が前身頃Ｆ及び後身頃Ｂの境界である前後方向ＬＤ（縦方向）の中央で折り畳まれ、その両側部が相互に熱溶着又はホットメルト接着剤などによって接合されてサイドシール部２１が形成されることによって、ウエスト開口及び左右一対の脚開口が形成されたパンツタイプ使い捨ておむつとなる。
【００３０】
（内装体の構造例）
内装体１０は、図４〜図６に示すように、トップシート１１と、ポリエチレン等からなる液不透過性シート１２との間に、吸収体１３を介在させた構造を有しており、トップシート１１を透過した排泄液を吸収保持するものである。内装体１０の平面形状は特に限定されないが、図１に示されるようにほぼ長方形とすることが一般的である。
【００３１】
吸収体１３の表側（肌側）を覆うトップシート１１としては、有孔又は無孔の不織布や多孔性プラスチックシートなどが好適に用いられる。ここで、トップシート１１を含め、本物品に使用可能な不織布は以下のとおりである。すなわち、不織布の構成繊維としては、例えばポリエチレン、ポリプロピレン又はそのコポリマー（例えばポリエチレンや、エチレンを共重合成分として配合したコポリマー）等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となったものを含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【００３２】
吸収体１３の裏側（非肌当接側）を覆う液不透過性シート１２としては、ポリエチレン又はポリプロピレンなどの液不透過性プラスチックシートを用いることができ、特にムレ防止の点から透湿性を有するもの、例えばポリエチレンやポリプロピレン等のオレフィン樹脂中に無機充填材を溶融混練してシートを形成した後、一軸又は二軸方向に延伸することにより得られる微多孔性シートを好適に用いることができる。
【００３３】
吸収体１３としては、公知のもの、例えばパルプ繊維の積繊体、セルロースアセテート等のフィラメントの集合体、あるいは不織布を基本とし、必要に応じて高吸収性ポリマーを混合又は固着等してなるものを用いることができる。この吸収体１３は、形状及びポリマー保持等のため、必要に応じてクレープ紙等の、液透過性及び液保持性を有する包装シート１４によって包装することができる。
【００３４】
吸収体１３の形状は、股間部に前後両側よりも幅の狭い括れ部分１３Ｎを有するほぼ砂時計状に形成されている。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状がほぼ長方形とされていると、内装体１０における吸収体１３の括れ部分１３Ｎと対応する部分に、吸収体１３を有しない無吸収体側部１７が形成される。
【００３５】
液不透過性シート１２は、トップシート１１とともに吸収体１３の幅方向両側で裏側に折り返されている。この液不透過性シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３６】
内装体１０の両側部には脚周りにフィットする立体ギャザー９０が形成されている。この立体ギャザー９０は、図５及び図６に示されるように、内装体１０の裏面の側部に固定された固定部９１と、この固定部９１から内装体１０の側方を経て内装体１０の表面の側部上まで延在する本体部９２と、本体部９２の前後端部が倒伏状態で内装体１０の表面（図示例ではトップシート１１）の側部にホットメルト接着剤９５ｂ等により固定されて形成された倒伏部分９３と、この倒伏部分９３間が非固定とされて形成された自由部分９４とを有している。これらの各部は、不織布などのシートを折り返して二重シートとしたギャザーシート９５により形成されている。ギャザーシート９５は、内装体１０の前後方向全体にわたり取り付けられており、倒伏部分９３は無吸収体側部１７よりも前側及び後側に設けられ、自由部分９４は無吸収体側部１７の前後両側に延在されている。また、二重のギャザーシート９５間には、自由部分の先端部等にギャザー弾性部材９６が配設されている。ギャザー弾性部材９６は、製品状態において図５に示すように、弾性収縮力により自由部分９４を立ち上げるためのものである。
【００３７】
ギャザー弾性部材９６及びギャザーシート９５の固定構造は特に限定されず、例えば図５及び図６に示す例のように、倒伏部分９３以外ではギャザー弾性部材９６の位置のホットメルト接着剤を介して、ギャザー弾性部材９６がギャザーシート９５に接着固定されるとともに、ギャザーシート９５の対向面が接合されているものの、倒伏部分９３では、ギャザー弾性部材９６の位置にホットメルト接着剤が無く、したがってギャザー弾性部材９６とギャザーシート９５とが接着されておらず、ギャザー弾性部材９６を有する位置でギャザーシート９５の対向面が接合されていない構造を採用することができる。
【００３８】
ギャザー弾性部材９６としては、通常使用されるスチレン系ゴム、オレフィン系ゴム、ウレタン系ゴム、エステル系ゴム、ポリウレタン、ポリエチレン、ポリスチレン、スチレンブタジエン、シリコーン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材９６としては、図示例のような細長状の他、ある程度の幅を有するテープ状のものを用いることもできる。
【００３９】
ギャザーシート９５は、尿などの透過を防止するとともに、カブレを防止しかつ肌への感触性（ドライ感）を高めるために、シリコーン系、パラフィン金属系、アルキルクロミッククロライド系撥水剤などをコーティングした撥水処理不織布を用いるのが望ましい。
【００４０】
図３〜図６に示すように、内装体１０はその裏面が、内外固定領域１０Ｂ（斜線領域）において、外装体２０の内面に対してホットメルト接着剤等により接合される。この内外固定領域１０Ｂは、適宜定めることができ、内装体１０の幅方向ＷＤのほぼ全体とすることもできるが、幅方向両端部は外装体２０に固定しないことが好ましい。
【００４１】
（外装体の構造例）
外装体２０は少なくとも前身頃Ｆの胴周り部Ｔ及び後身頃Ｂの胴周り部Ｔを有するものであり、図示例では前身頃Ｆの胴周り部Ｔ及び後身頃Ｂの胴周り部Ｔの間の前後方向範囲である中間部Ｌをさらに有するものとなっている。胴周り部Ｔは、サイドシール部２１を有する前後方向範囲である。胴周り部Ｔは、ウエスト開口の縁部を形成するウエスト部２３を有する。前身頃Ｆのウエスト部２３及び後身頃Ｂのウエスト部２３の少なくとも一方に隣接する部分がウエスト隣接部２２である。通常、胴周り部Ｔ内に幅方向ＷＤの伸長応力（伸長時の収縮力）が変化する境界を有する場合は、最もウエスト開口側の境界よりもウエスト開口側がウエスト部２３となり、このような境界が無い場合は吸収体１３又は内装体１０よりもウエスト開口側がウエスト部２３となる。これらの直交方向ＸＤの寸法さは、製品のサイズによって異なり、適宜定めることができるが、一例を挙げると、ウエスト部２３の直交方向ＸＤの寸法は２０〜４０ｍｍとすることができる。また、中間部Ｌの両側縁は被着者の脚周りに沿うようにコ字状又は曲線状に括れており、ここが装着者の脚周りに沿う部分となる。外装体２０は図示例のように股間部において外装体２０の側縁が内装体１０の側縁より幅方向中央側に位置していても、また幅方向外側に位置していても良い。
【００４２】
そして、図示例の外装体２０は、その中間部Ｌの前後方向ＬＤの中間を除いて、図２及び図４〜図６に示されるように、第１シート層２０Ａと、第２シート層２０Ｂと、これらの間に介在された弾性シート３０とを有している。つまり、外装体２０は伸縮部材となっている。また、図７及び図９等に示されるように、第１シート層２０Ａ及び第２シート層２０Ｂが、間隔を空けて配列された多数のシート接合部４０で弾性シート３０を貫通する接合孔３１を通じて接合されている。以下、この第１シート層２０Ａ、第２シート層２０Ｂ、及び弾性シート３０が積層された構造を弾性シート伸縮構造２０Ｘともいう。
【００４３】
外装体２０の平面形状は、中間部Ｌの幅方向両側縁２９がそれぞれ脚開口を形成するように中間部Ｌが括れている（中間部Ｌの幅が胴周り部Ｔの幅よりも狭くなっている）。外装体２０は、前身頃Ｆ及び後身頃Ｂで個別に形成し、両者が股間部でおむつの前後方向ＬＤに離間するように配置しても良い。
【００４４】
弾性シート伸縮構造２０Ｘは、前後のウエスト部２３及びこれらの間に位置する部分のうち、ウエスト部２３からウエスト隣接部２２にかけて続く限り、ウエスト隣接部２２の一部には設けなくてもよい。例えば、図示例の外装体２０のように、中間部Ｌの前後方向ＬＤの中間のみ弾性シート３０を設けない構造としたり、中間部Ｌの全体にわたり弾性シート３０を設けない構造としたり、胴周り部Ｔの股間側の一部に弾性シート３０を設けない構造としたりすることができる。もちろん、中間部Ｌを含めて外装体２０の全体にわたり弾性シート伸縮構造２０Ｘが続いていてもよい。
【００４５】
（シート接合部の接合構造）
シート接合部４０における第１シート層２０Ａ及び第２シート層２０Ｂの接合は、弾性シート３０に形成された接合孔３１を通じて接合される場合、少なくともシート接合部４０における第１シート層２０Ａ及び第２シート層２０Ｂ間以外では、第１シート層２０Ａ及び第２シート層２０Ｂは弾性シート３０と接合されていないことが望ましい。
【００４６】
シート接合部４０において第１シート層２０Ａ及び第２シート層２０Ｂが弾性シート３０の接合孔３１を通じて溶着される場合、シート接合部４０において第１シート層２０Ａ及び第２シート層２０Ｂの両方が溶融固化していても、シート接合部４０において第１シート層２０Ａ及び第２シート層２０Ｂのいずれか一方のみが溶融固化していてもよい。さらに、シート接合部４０内に、弾性シート３０の溶融固化物が挟まれていてもよい。
【００４７】
第１シート層２０Ａ及び第２シート層２０Ｂは、図８（ａ）に示す例のようにシート接合部４０における厚み方向及び平面方向の全体にわたり均一に溶融固化していても、図８（ｂ）（ｃ）に点模様のグラデーションで示すように不均一に溶融固化していてもよい。例えば、第１シート層２０Ａ及び第２シート層２０Ｂは、図８（ｂ）に示す例のようにシート接合部４０の厚み方向外側ほど溶融の程度が低くてもよい。この状態には、シート接合部４０の表面で第１シート層２０Ａ及び第２シート層２０Ｂのほぼすべての繊維が溶融していない状態、シート接合部４０の表面に第１シート層２０Ａ及び第２シート層２０Ｂの溶融固化物と溶融していない繊維とが混在する状態、並びにシート接合部４０の厚み方向全体にわたり第１シート層２０Ａ及び第２シート層２０Ｂの繊維が溶融しているものの溶融の程度が変化する状態が含まれる。
【００４８】
上記シート接合部４０における厚み方向の溶融の程度の変化を伴い又は伴わずに、第１シート層２０Ａ及び第２シート層２０Ｂは、図８（ｃ）に示す例のようにシート接合部４０の周縁側ほど溶融の程度が低くてもよい。この状態には、シート接合部４０の周縁部で第１シート層２０Ａ及び第２シート層２０Ｂのほぼすべての繊維が溶融していない状態（ただし、後述の弾性シート３０の溶融固化物が接着剤として介在する場合に限る）、シート接合部４０の周縁部に第１シート層２０Ａ及び第２シート層２０Ｂの溶融固化物と溶融していない繊維とが混在する状態、並びにシート接合部４０の平面方向の全体にわたり第１シート層２０Ａ及び第２シート層２０Ｂの繊維が溶融しているものの溶融の程度が変化する状態が含まれる。
【００４９】
なお、これらの状態において、第１シート層２０Ａ及び第２シート層２０Ｂの繊維が溶融することには、繊維全体が溶融することの他、繊維の芯（複合繊維における芯だけでなく単成分繊維の中心部分を含む）は残るがその周囲部分（複合繊維における鞘だけでなく単成分繊維の表層側の部分を含む）は溶融することが含まれる。
【００５０】
また、シート接合部４０内に弾性シート３０の溶融固化物が残存する状態には、第１シート層２０Ａ又はその溶融固化層と、第２シート層２０Ｂ又はその溶融固化層との間に、それらとほとんど混じらずに層状に残存する状態、第１シート層２０Ａ及び第２シート層２０Ｂのうち溶融固化するものと混じった状態、並びに第１シート層２０Ａ及び第２シート層２０Ｂの溶融固化しない方の繊維間に、又は第１シート層２０Ａ及び第２シート層２０Ｂのうち溶融固化する方における残存繊維（芯含む）間にある程度浸透した状態が含まれる。
【００５１】
シート接合部４０内に弾性シート３０の溶融固化物が残存する状態は、第１シート層２０Ａ及び第２シート層２０Ｂの少なくとも一方の融点が弾性シート３０の融点よりも高い条件下で、第１シート層２０Ａ及び第２シート層２０Ｂ間に弾性シート３０を挟み、シート接合部４０となる部位を加圧・加熱し、第１シート層２０Ａ及び第２シート層２０Ｂの少なくとも一方と弾性シート３０とを溶融することにより製造することができる。
【００５２】
この場合、弾性シート３０の融点は８０〜１４５℃程度のものが好ましく、第１シート層２０Ａ及び第２シート層２０Ｂの融点は８５〜１９０℃程度、特に１５０〜１９０℃程度のものが好ましく、第１シート層２０Ａ及び第２シート層２０Ｂの融点と弾性シート３０の融点との差は６０〜９０℃程度であるのが好ましい。また、加熱温度は１００〜１５０℃程度とするのが好ましい。
【００５３】
図１８は、好適な超音波シール装置の例を示している。この超音波シール装置では、シート接合部４０の形成に際して、外面にシート接合部４０のパターンで形成した突起部６０ａを有するアンビルロール６０と超音波ホーン６１との間に、第１シート層２０Ａ、弾性シート３０及び第２シート層２０Ｂを送り込む。この際、例えば上流側の弾性シート３０の送り込み駆動ロール６３及びニップロール６２による送り込み移送速度を、アンビルロール６０及び超音波ホーン６１以降の移送速度よりも遅くすることにより、送り込み駆動ロール６３及びニップロール６２によるニップ位置からアンビルロール６０及び超音波ホーン６１によるシール位置までの経路で、弾性シート３０をＭＤ方向（マシン方向、流れ方向）に所定の伸長率まで伸長する。この弾性シート３０の伸長率は、アンビルロール６０及び送り込み駆動ロール６３の速度差を選択することにより設定することができ、例えば３００％〜５００％程度とすることができる。６２はニップロールである。
【００５４】
アンビルロール６０と超音波ホーン６１との間に送り込まれた、第１シート層２０Ａ、弾性シート３０及び第２シート層２０Ｂは、この順に積層した状態で、突起部６０ａと超音波ホーン６１との間で加圧しつつ、超音波ホーン６１の超音波振動エネルギーにより加熱し、弾性シート３０のみを溶融するか、又は第１シート層２０Ａ及び第２シート層２０Ｂの少なくとも一方と弾性シート３０とを溶融することによって、弾性シート３０に接合孔３１を形成するのと同時に、その接合孔３１を通じて第１シート層２０Ａ及び第２シート層２０Ｂを接合する。したがって、この場合にはアンビルロール６０の突起部６０ａの大きさ、形状、離間間隔、ロール長方向及びロール周方向の配置パターンなどを選定することにより、シート接合部４０の面積率を選択することができる。
【００５５】
接合孔３１が形成される理由は必ずしも明確ではないが、弾性シート３０におけるアンビルロール６０の突起部６０ａと対応する部分が溶融して周囲から離脱することにより開孔するものと考えられる。この際、弾性シート３０における、伸縮方向ＥＤに並ぶ隣接する接合孔３１の間の部分は、図７（ａ）（ｂ）、図９（ａ）（ｂ）、図１２及び図１３に示すように、接合孔３１により伸縮方向両側の部分から切断され、収縮方向両側の支えを失うことになるため、収縮方向と直交する方向の連続性を保ちうる範囲で、伸縮方向ＥＤと直交する方向ＬＤの中央側ほど伸縮方向中央側に釣り合うまで収縮し、接合孔３１が伸縮方向ＥＤに拡大する。
【００５６】
第１シート層２０Ａ及び第２シート層２０Ｂの構成材は、繊維の少なくとも一部が溶着可能な（つまり熱可塑性樹脂成分を含む）不織布であれば特に限定無く使用できる。例えば、ポリエチレンやポリプロピレン等のオレフィン系、ポリエステル系、ポリアミド系等の合成繊維などや、これらの二種以上が使用された混合繊維、又はこれらの二成分以上を含む複合繊維（例えば鞘成分が溶融しやすい芯鞘型のもの）などを例示することができる。さらに、不織布は、どのような加工によって製造されたものであってもよい。
【００５７】
第１シート層２０Ａ及び第２シート層２０Ｂに用いる不織布の目付けは１０〜２５ｇ／ｍ2程度とするのが好ましい。また、第１シート層２０Ａ及び第２シート層２０Ｂの一部又は全部は、一枚の資材を折り返して対向させた一対の層であっても良い。例えば、図示形態のように、ウエスト部２３では、外側に位置する構成材を第２シート層２０Ｂとし、かつそのウエスト開口縁で内面側に折り返してなる折り返し部分２０Ｃを第１シート層２０Ａとして、その間に弾性シート３０を介在させるとともに、それ以外の部分では内側に位置する構成材を第１シート層２０Ａとし、外側に位置する構成材を第２シート層２０Ｂとして、その間に弾性シート３０を介在させることができる。もちろん、前後方向ＬＤの全体にわたり第１シート層２０Ａの構成材及び第２シート層２０Ｂの構成材を個別に設け、構成材を折り返しすることなく、第１シート層２０Ａの構成材及び第２シート層２０Ｂの構成材間に弾性シート３０を介在させることもできる。
【００５８】
弾性シート３０は特に限定されるものではなく、それ自体弾性を有する熱可塑性樹脂製のシートであれば、弾性（エラスティック）フィルムの他、伸縮不織布であってもよい。また、弾性シート３０としては、無孔のものの他、通気のために多数の孔やスリットが形成されたものも用いることができる。特に、幅方向ＷＤ（伸縮方向ＥＤ、ＭＤ方向）における引張強度が８〜２５Ｎ／３５ｍｍ、前後方向ＬＤ（伸縮方向と直交する方向ＸＤ、ＣＤ方向）における引張強度が５〜２０Ｎ／３５ｍｍ、幅方向ＷＤにおける引張伸度が４５０〜１０５０％、及び前後方向ＬＤにおける引張伸度が４５０〜１４００％の弾性シート３０であると好ましい。弾性シート３０の厚みは特に限定されないが、２０〜４０μｍ程度であるのが好ましい。
【００５９】
（伸縮領域）
外装体２０における弾性シート伸縮構造２０Ｘを有する領域は、ウエスト部２３及びウエスト隣接部２２が、弾性シート３０の収縮により幅方向に収縮しているとともに幅方向に伸長可能である（つまり伸縮方向ＥＤがおむつの幅方向ＷＤとなる）伸縮領域８０を有している。伸縮領域８０では、弾性シート３０の収縮力により幅方向ＷＤに収縮しているとともに、幅方向ＷＤに伸長可能となっている。より具体的には、弾性シート３０を幅方向ＷＤに伸長した状態で、幅方向ＷＤ及びこれと直交する直交方向ＸＤにそれぞれ間隔を空けて、弾性シート３０の接合孔３１を介して第１シート層２０Ａ及び第２シート層２０Ｂを接合し、多数のシート接合部４０を形成することにより、弾性シート伸縮構造２０Ｘを形成するとともに、伸縮領域８０では弾性シート３０が幅方向ＷＤに途切れずに残り、かつこの弾性シート３０の収縮力により第１シート層２０Ａ及び第２シート層２０Ｂが収縮して収縮襞２５が形成されるようにシート接合部４０を配置することによって、このような伸縮性を付与することができる。
【００６０】
ウエスト隣接部２２における伸縮領域８０では、図７及び図９に示す例のように弾性シート３０が（つまり接合孔３１を有しない部分が）幅方向ＷＤに沿って直線的に連続する無孔帯３２を有していても、図１１に示す例及び図１５に示す例のように有していなくてもよい。
【００６１】
伸縮領域８０は、自然長状態では、図７（ｄ）、図９（ｄ）及び図１４（ｂ）に示すように、シート接合部４０間の第１シート層２０Ａ及び第２シート層２０Ｂが互いに離間する方向に膨らんで、直交方向ＸＤに延びる収縮襞２５が形成され、幅方向ＷＤにある程度伸長した装着状態でも、収縮襞２５は伸ばされるものの、残るようになっている。また、図示形態のように、第１シート層２０Ａ及び第２シート層２０Ｂは、少なくともシート接合部４０における第１シート層２０Ａ及び第２シート層２０Ｂ間以外では弾性シート３０と接合されていないと、装着状態を想定した図７（ｃ）、図９（ｃ）、及び、第１シート層２０Ａ及び第２シート層２０Ｂの展開状態を想定した図７（ａ）（ｂ）、図９（ａ）（ｂ）からも分かるように、これらの状態では、弾性シート３０における接合孔３１と、シート接合部４０との間に隙間が形成され、弾性シート３０の素材が無孔のフィルムやシートであっても、この隙間により通気性が付加される。特に、弾性シート３０が幅方向ＷＤに沿って直線的に連続する無孔帯３２を有している場合には、自然長状態では、弾性シート３０のさらなる収縮により接合孔３１がすぼまり、接合孔３１とシート接合部４０との間に隙間がほとんど形成されない形態となり、弾性シート３０が幅方向ＷＤに沿って直線的に連続する部分を有していない場合には、接合孔３１とシート接合部４０との間に隙間が残る。
【００６２】
伸縮領域８０の幅方向ＷＤの最大伸びは１９０％以上（好ましくは２００〜２２０％）とすることが望ましい。伸縮領域８０の最大伸びは、製造時の弾性シート３０の伸長率によってほぼ決まるがこれを基本として、幅方向ＷＤの収縮を阻害する要因により低下する。このような阻害要因の主なものは、幅方向ＷＤにおいて単位長さ当たりに占めるシート接合部４０の長さＬの割合であり、この割合が大きくなるほど最大伸びが低下する。通常の場合、シート接合部４０の長さＬはシート接合部４０の面積率と相関があるため、伸縮領域８０の最大伸びはシート接合部４０の面積率により調整できる。
【００６３】
伸縮領域８０の伸長応力は、図７及び図９に示す例のように、弾性シート３０が幅方向ＷＤに沿って直線的に連続する無孔帯３２を有している場合には、主に弾性シート３０が幅方向ＷＤに沿って直線的に連続する無孔帯３２（図７（ａ）及び図９（ａ）参照）の直交方向寸法３２ｗの総和（接合孔の間隔３１ｄに等しい）により調整することができる。一方、図１１に示す例及び図１５に示す例のように、弾性シート３０が幅方向ＷＤに沿って直線的に連続する部分を有していない場合には、無接合帯５１，５２の連続方向と伸縮方向ＥＤとがなす交差角度により調整でき、通常の場合、展開状態で無接合帯５１，５２の連続方向と伸縮方向ＥＤとがなす鋭角側交差角θ１，θ２がそれぞれ０度より大きく４５度以下、特に１０〜３０度の範囲とすることが好ましい。
【００６４】
伸縮領域８０におけるシート接合部４０の面積率及び個々のシート接合部４０の面積は適宜定めることができるが、通常の場合、次の範囲内とするのが好ましい。
シート接合部４０の面積：０．１４〜３．５ｍｍ2（特に０．１４〜１．０ｍｍ2）
シート接合部４０の面積率：１．８〜１９．１％（特に１．８〜１０．６％）
【００６５】
このように、伸縮領域８０の最大伸び及び伸長応力はシート接合部４０の面積により調整できるため、図１及び図２に示すように、伸縮領域８０内にシート接合部４０の面積率が異なる複数の領域を設け、部位に応じてフィット性を変化させることができる。図１及び図２に示す形態では、脚開口の縁部領域８２は、それ以外の領域と比べてシート接合部４０の面積率が高く、したがって伸長応力が弱く、柔軟に伸縮する領域となっている。
【００６６】
個々のシート接合部４０及び接合孔３１の自然長状態での形状は、適宜定めることができるが、真円形、楕円形、三角形、長方形、ひし形等の多角形、あるいは凸レンズ形、凹レンズ形、星形、雲形等、任意の形状とすることができる。個々のシート接合部の寸法は特に限定されないが、最大長さ４０ｙ（接合孔３１の直交方向の寸法３１ｙにほぼ等しい）は０．５〜３．０ｍｍ、特に０．７〜１．１ｍｍとするのが好ましく、最大幅４０ｘは０．１〜３．０ｍｍ、特に伸縮方向と直交する方向ＸＤに長い形状の場合には０．１〜１．１ｍｍとするのが好ましい。
【００６７】
個々のシート接合部４０の大きさは、適宜定めれば良いが、大きすぎるとシート接合部４０の硬さが感触に及ぼす影響が大きくなり、小さすぎると接合面積が少なく資材同士が十分に接着できなくなるため、通常の場合、個々のシート接合部４０の面積は０．１４〜３．５ｍｍ2程度とすることが好ましい。個々の接合孔３１の開口の面積は、接合孔３１を介してシート接合部が形成されるためシート接合部以上であれば良いが、シート接合部の面積の１〜１．５倍程度とすることが好ましい。なお、接合孔３１の開口の面積は、弾性フィルム３０単独の状態ではなく第１シート層２０Ａ及び第２シート層２０Ｂと一体化した状態で、かつ自然長の状態における値を意味し、接合孔３１の開口の面積が、弾性フィルム３０の表と裏で異なる等、厚み方向に均一でない場合には最小値を意味する。
【００６８】
ウエスト隣接部２２におけるシート接合部４０及び接合孔３１の平面配列は適宜定めることができるが、規則的に繰り返される平面配列が好ましく、図１０（ａ）に示すような斜方格子状や、図１０（ｂ）に示すような六角格子状（これらは千鳥状ともいわれる）、図１０（ｃ）に示すような正方格子状、図１０（ｄ）に示すような矩形格子状、図１０（ｅ）に示すような平行体格子（図示のように、多数の平行な斜め方向の列の群が互いに交差するように２群設けられる形態）状等（これらが伸縮方向に対して９０度未満の角度で傾斜したものを含む）のように規則的に繰り返されるものの他、シート接合部４０の群（群単位の配列は規則的でも不規則でも良く、模様や文字状等でも良い）が規則的に繰り返されるものとすることもできる。
【００６９】
ウエスト隣接部２２におけるシート接合部４０の配列パターンは、図９に示す例、図１１に示す例及び図１５に示す例のようなものであると好ましい。すなわち、これらの例では、伸縮領域８０には、展開状態で、シート接合部４０を有しない部分が連続する無接合帯５１，５２として、伸縮方向ＥＤに対して鋭角（鋭角側交差角θ１）に交わる第１方向５１ｄに沿って直線的に連続する第１無接合帯５１が、第１方向５１ｄと直交する方向に間隔を空けて繰り返し存在する。また、伸縮領域８０における隣り合う第１無接合帯５１の間には、シート接合部４０及び接合孔３１が間隔を空けて多数設けられる。そして特徴的には、第１方向５１ｄと直交する方向の幅として定まる第１幅５１ｗが異なる複数本の第１無接合帯５１を含む単位構造が、伸縮領域８０における第１方向５１ｄと直交する方向に繰り返し存在する。
【００７０】
このように、第１幅５１ｗが異なる複数本の第１無接合帯５１を含む単位構造が、伸縮領域８０における第１方向５１ｄと直交する方向に繰り返し存在すると、第１無接合帯５１の内部の弾性シート３０の連続部にも、同様の大小関係の幅変化が形成される。つまり、第１無接合帯５１の幅５１ｗが狭ければ、内部の弾性シート３０の連続部の幅も狭くなり、第１無接合帯５１の幅５１ｗが広ければ、内部の弾性シート３０の連続部の幅も広くなる。そして、第１無接合帯５１内の弾性シート３０の連続部に、第１幅５１ｗの変化があると、幅の広い第１無接合帯５１内の弾性シート３０の連続部及び幅の狭い第１無接合帯５１内の弾性シート３０の連続部の双方が視覚的に強調される結果、伸縮領域８０が自然長状態（図１３及び図１７参照）であっても、ある程度伸長した装着状態であっても、斜め縞模様の美しい外観を呈することとなる。また、ある程度収縮した状態では、第１無接合帯５１における収縮襞２５の大きさが、第１無接合帯５１の第１幅５１ｗに応じて変化するため、この収縮襞２５の影響により斜め縞模様がよりはっきりと現出するようになる。
【００７１】
上述の単位構造は、第１幅５１ｗが異なる複数本の第１無接合帯５１を含む限り、その幅５１ｗの大小の程度により限定されるものではないが、第１無接合帯５１における第１幅５１ｗは、最も近い幅５１ｗの第１無接合帯５１に対して、大きい場合には１．２〜６０倍、小さい場合には０．０１〜０．８倍であることが好ましい。
【００７２】
また、上述の単位構造は、第１幅５１ｗが異なる複数本の第１無接合帯５１を含む限り、すべての第１無接合帯５１における第１幅５１ｗが異なっていてもよいし、図示するように一部の複数本の第１無接合帯５１における第１幅５１ｗと、他の単数又は複数本の第１無接合帯５１の第１幅５１ｗとが異なっていてもよい。
【００７３】
伸縮領域８０に、第１無接合帯５１の収縮襞２５及びその内部の弾性シート３０の連続部による第１方向５１ｄに沿う斜め縞模様が現出するとしても、同一の伸縮領域８０に他の斜め方向に沿う斜め縞模様がより強く視認されると、第１無接合帯５１の収縮襞２５及びその内部の弾性シート３０の連続部による斜め縞模様が目立たなくなるおそれがある。これに対して、第１無接合帯５１における第１幅５１ｗの最大値が、傾斜方向が異なる及び共通するすべての無接合帯５１，５２における連続方向と直交する方向の幅の最大値となっていると、伸縮領域８０内では第１無接合帯５１の収縮襞２５及びその内部の弾性シート３０の連続部による斜め縞模様が、より強く視認されるようになるため好ましい。この場合における、第１無接合帯５１における第１幅５１ｗの最大値は適宜定めることができるが、最も近い幅５１ｗの第１無接合帯５１に対して０．０１〜９倍であることが好ましい。なお、第１無接合帯５１を含むすべての無接合帯５１，５２は、連続方向と直交する方向の幅が限定されるものではないが、通常の場合０．３〜５０ｍｍの範囲内であることが好ましい。いうまでもないが、無接合帯５１，５２の連続方向と直交する方向の幅は、第１無接合帯５１にあっては第１幅５１ｗのことであり、直線的に連続する部分であるため等幅である。
【００７４】
隣り合う第１無接合帯５１における第１方向５１ｄと直交する方向の間隔として定まる第１間隔５１ｓは適宜定めることができる。よって、この第１間隔５１ｓは、隣り合う第１無接合帯５１における第１幅５１ｗと同じにしても、より広くしても、より狭くしてもよい。一つの好ましい例としては、単位構造における、第１無接合帯５１における第１幅５１ｗの最大値が第１間隔５１ｓの最大値よりも小さい形態を挙げることができる。このように、単位構造に広い間隔部分を形成することにより、第１無接合帯５１の収縮襞２５及びその内部の弾性シート３０の連続部による斜め縞模様が、より強く視認されるようになる。この場合における、第１無接合帯５１における第１幅５１ｗの最大値は適宜定めることができるが、第１間隔５１ｓの最大値の０．０１〜９倍であると好ましい。なお、第１無接合帯５１を含むすべての無接合帯５１，５２における連続方向と直交する方向の間隔は特に限定されるものではないが、通常の場合０．３〜５０ｍｍの範囲内であることが好ましい。いうまでもないが、無接合帯５１，５２における連続方向と直交する方向の間隔は、第１無接合帯５１にあっては第１間隔５１ｓのことであり、連続方向に等しくなるものである。
【００７５】
無接合帯５１，５２としては、第１方向５１ｄ以外の、伸縮方向ＥＤに対して鋭角（鋭角側交差角θ２）に交わる第２方向５２ｄに沿って直線的に連続する第２無接合帯５２が、第２方向５２ｄと直交する方向に間隔を空けて繰り返し存在してもよいし、第２無接合帯５２が存在しなくてもよい。第２無接合帯５２を有する一つの好ましい形態は、伸縮領域８０には、無接合帯５１，５２が斜め格子状に形成されており、第１無接合帯５１は、斜め格子状の無接合帯５１，５２における一方の方向に連続する部分であり、第２無接合帯５２は、斜め格子状の無接合帯５１，５２における他方の方向に連続する部分であるものである。この場合、第１方向５１ｄ及び第２方向５２ｄは、伸縮方向ＥＤに対する傾きの正負が互いに逆となる。なお、図１１に示す例及び図１５に示す例のように、幅方向ＷＤ（伸縮方向ＥＤ）に連続する無接合帯５１，５２を有しない形態であっても、伸縮領域８０の展開状態で、第１方向５１ｄ及び第２方向５２ｄの伸縮方向ＥＤに対する鋭角側交差角θ１，θ２がそれぞれ５〜４５度、特に１０〜３０であることにより、伸縮領域８０における伸縮性を十分に確保することができる。
【００７６】
ただし、同一の伸縮領域８０に第２無接合帯５２の斜め方向に沿う斜め縞模様がより強く視認されると、第１無接合帯５１の収縮襞２５及びその内部の弾性シート３０の連続部による斜め縞模様が目立たなくなるおそれがある。よって、図１５に示す例のように第２無接合帯５２を有する場合、第２無接合帯５２における第２方向と直交する方向の幅として定まる第２幅５２ｗがすべて同一であるか、又は、第２無接合帯５２を有しないようにシート接合部４０を配置することが望ましい。これにより、伸縮領域８０内では第１無接合帯５１の収縮襞２５及びその内部の弾性シート３０の連続部による斜め縞模様が、より強く視認されるようになる。
【００７７】
他方、隣り合う第１無接合帯５１の間には、シート接合部４０を第１方向５１ｄに整列させることとなるが、この場合例えば図１６に示すように、シート接合部４０はすべて、伸縮方向ＥＤと直交する方向に対する長手方向の鋭角側交差角θ３が１０度以内、かつ伸縮方向ＥＤの最大寸法４０ｅが０．１〜０．４ｍｍの細長状をなしていると、第１無接合帯５１の伸縮方向ＥＤの寸法をより大きく確保することができ、伸縮性の低下を抑制することができるため好ましい。
【００７８】
また、図１１に示す例のように、単位構造に、第１幅５１ｗが最大となる広幅第１無接合帯５１、及びこれよりも第１幅５１ｗが狭い狭幅第１無接合帯５１を、それぞれ第１方向５１ｄと直交する方向に隣接して複数本含む場合、隣り合う広幅第１無接合帯５１の間には、第２方向５２ｄに対する長手方向の鋭角側交差角が５度以内、かつその長手方向と直交する方向の最大寸法４０ｆが０．１〜０．４ｍｍの細長状をなすシート接合部４０が、第１方向５１ｄに間隔を空けて整列されていると好ましい。また、隣り合う狭幅第１無接合帯５１の間には、第１方向５１ｄに対する長手方向の鋭角側交差角θ３が４５度以上、かつその長手方向と直交する方向の最大寸法４０ｇが０．１〜０．４ｍｍの細長状をなすシート接合部４０が、第１方向５１ｄに間隔を空けて整列されていると好ましい。このようなシート接合部４０の形状及び配置により、より少ないシート接合部４０の面積で、第１無接合帯５１の収縮襞２５及びその内部の弾性シート３０の連続部が特に視覚的に強調されるようになる。
【００７９】
隣り合う無接合帯５１，５２の間に位置するシート接合部４０の列（無接合帯５１，５２の連続方向の列）は、一列であっても複数列であってもよい。また、列の方向におけるシート接合部４０の間隔は規則的であることが好ましいが、すべての間隔が一定である必要はなく、一部の間隔が異なっていてもよい。
【００８０】
（ウエスト部及びウエスト隣接部の伸縮領域の相違等について）
図１９はウエスト部２３をより強く締め付けることができる接合孔３１及びシート接合部４０の配列例を示している。この例では、ウエスト部２３の伸縮領域８０には、展開状態で、接合孔３１を有しない部分が幅方向ＷＤに沿って連続する無孔帯３２と、シート接合部４０が幅方向ＷＤに間隔を空けて配置された接合帯５３とが、幅方向ＷＤと直交する直交方向ＸＤに交互に繰り返し設けられている。また、ウエスト隣接部２２の伸縮領域８０には、展開状態で、接合孔３１を有しない部分が幅方向ＷＤに沿って連続する無孔帯３２が少なくとも一本（図示例では無孔帯３２と、シート接合部４０が幅方向ＷＤに間隔を空けて配置された接合帯５３とが、直交方向ＸＤに交互に繰り返し）設けられるとともに、ウエスト部２３における複数本の無孔帯３２の直交方向ＸＤの寸法が、ウエスト隣接部２２の無孔帯３２の直交方向ＸＤの寸法よりも長くなっている。ウエスト隣接部２２の伸縮領域８０の一部又は全部は、が無孔帯３２を有しない前述の構造（図９に示す例、図１１に示す例及び図１５に示す例）となっていてもよい。
【００８１】
前述のように、本伸縮構造２０Ｘでは、締め付け力は弾性シート３０の伸長応力と接触面積によりほぼ決まり、弾性シート３０の伸長応力の強さは基本的に弾性シート３０の断面積（厚み一定であれば幅方向ＷＤと直交する直交方向ＸＤの寸法）で決まる。さらに、本伸縮構造２０Ｘでは、シート接合部４０を有する部分では弾性シート３０の連続性がなくなる。そのため、本伸縮構造２０Ｘにおいて伸長応力に寄与する弾性シート３０の断面積は基本的に無孔帯３２の直交方向ＸＤの寸法により決まる。ここで、本伸縮構造では、ウエスト部２３における複数本の無孔帯３２の直交方向ＸＤの寸法がウエスト隣接部２２の無孔帯３２の直交方向ＸＤの寸法よりも長いか、又はウエスト隣接部２２に無孔帯３２が設けられていない。したがって、本態様の使い捨て着用物品は、ウエスト部２３及びウエスト隣接部２２にわたる同一の弾性シート３０により伸縮するものでありながら、ウエスト部２３の厚み増加なく、つまり図示例のようにウエスト部２３の弾性シート３０が単層（折り返しなどにより複数層になっていない）であっても、ウエスト部２３をより強く締め付けることができる。
【００８２】
ウエスト部２３及びウエスト隣接部２２における無孔帯３２の直交方向ＸＤの寸法は適宜定めればよい。一例として、弾性シート３０が厚み２０〜４０μｍの弾性フィルムである場合、ウエスト部２３における複数本の無孔帯３２の直交方向ＸＤの寸法は２〜５ｍｍであり、ウエスト隣接部２２の無孔帯３２の直交方向ＸＤの寸法は、ウエスト部２３における複数本の無孔帯３２の直交方向ＸＤの寸法の０．２５倍以下であるか、又は、ウエスト隣接部２２に無孔帯３２が設けられていないと好ましい。
【００８３】
ウエスト部２３の無孔帯３２の数は、締め付け力に応じて定まる無孔帯３２の直交方向ＸＤの寸法と、ウエスト部２３の直交方向ＸＤの寸法とにより自ずと定まるものであるが、通常の場合３〜７本程度であることが好ましい。
【００８４】
ウエスト部２３における複数本の無孔帯３２の直交方向ＸＤの寸法が、ウエスト隣接部２２の無孔帯３２の直交方向ＸＤの寸法よりも長い限り、図２０に示す例のように、ウエスト部２３における一本（又は複数本でもよいが、過半数未満であることが好ましい。）の無孔帯３２の直交方向ＸＤの寸法は、ウエスト隣接部２２の無孔帯３２の直交方向ＸＤの寸法より短くてもよい。この場合における、ウエスト隣接部２２の無孔帯３２の直交方向ＸＤの寸法より短い、ウエスト部２３の無孔帯３２は、ウエスト部２３におけるウエスト開口側の端部に位置するもののみであることが望ましいが、ウエスト部２３の直交方向ＸＤの中間に位置していてもよい。
【００８５】
ウエスト部２３における接合孔３１の形状は特に限定されるものではない。ウエスト部２３における接合孔３１は図１９に示す例のようにすべて同じであっても、図２２に示す例のように異なっていてもよい。ウエスト部２３における接合孔３１の自然長状態の形状が、図２０〜図２２に示す例のように、幅方向ＷＤに細長い形状が好ましく、特に上縁及び下縁（直交方向の両側の縁）が直線状の形状であると、同じ弾性シート３０の使用面積で比較した場合、接合孔３１の直交方向ＸＤの寸法が短いほど、ウエスト部２３の締め付け力を強くすることができるためより好ましい。また、この場合、第１シート層２０Ａ及び第２シート層２０Ｂを広範囲にわたり接合しつつ、シート接合部４０の面積を小さくすることができ、柔軟性及び通気性に優れるようになる。なお、図２０〜図２２は展開状態を示しているが、自然長状態では、接合孔３１の形状は長辺が幅方向ＷＤに沿う長方形状となるものである。自然長状態における接合孔３１の形状は、幅方向ＷＤ両端部が円弧状の長孔形状になっていたり、角が丸い長方形状となっていたりしてもよい。ウエスト部２３の接合帯５３における接合孔３１の寸法は適宜定めることができるが、通常の場合、直交方向ＸＤの寸法は０．１〜１．１ｍｍであると好ましい。なお、接合帯５３の直交方向ＸＤの両側に無孔帯３２が隣接していると、自然長状態で、シート接合部４０の形状及び配置が接合孔３１と同様となることは前述のとおりである。ウエスト部２３における接合孔３１とウエスト隣接部２２における接合孔３１の形状とは図１９に示す例のように同じであっても、図２２に示す例のように異なっていてもよい。
【００８６】
また、ウエスト部２３の接合帯５３における接合孔３１が大き過ぎたり、伸縮方向ＥＤに近過ぎたりすると、弾性シート３０が部分的に破断するおそれがあるため、接合孔３１の伸縮方向ＥＤの寸法は３〜６ｍｍであり、伸縮方向ＥＤの間隔は３〜８ｍｍであると好ましい。なお、ウエスト隣接部２２の接合部や接合孔３１の配置や寸法については前述の範囲内から適宜定めることができる。
【００８７】
ウエスト部２３における複数の無孔帯３２の一部又は全部に関して、直交方向ＸＤの寸法は同じであっても異なっていてもよい。例えば、図２１に示す例のように、ウエスト部２３の無孔帯３２の直交方向ＸＤの寸法が、ウエスト開口の縁に近づくにつれて長くなっていると、ウエスト部２３の縁に近いほど肌との密着性が高くなるため、ウエスト部２３の密着性を重視する場合に好適である。一例として、無孔帯３２の直交方向ＸＤの寸法は、最長の寸法が最短の寸法の１．５〜２．５倍程度とすることができる。
【００８８】
また、図２２に示す例のように、ウエスト部２３の無孔帯３２の直交方向ＸＤの寸法が、ウエスト開口の縁に近づくにつれて短くなっていてもよい。この場合、ウエスト部２３の縁に近いほど締め付け力が弱くなるため、装着状態でウエスト部２３と肌との間に簡単に指を入れて使い捨て着用物品をつかむことができる。よって、例えばパンツタイプ使い捨て着用物品であれば、装着状態でウエスト部２３を容易につかむことができ、パンツタイプ使い捨ておむつの上げ下ろし作業が容易になる。一例として、無孔帯３２の直交方向ＸＤの寸法は、最長の寸法が最短の寸法１．５〜２．５倍程度とすることができる。
【００８９】
図２３に示すように、ウエスト部２３の無孔帯３２の直交方向ＸＤの寸法が、ウエスト部２３の幅方向ＷＤの中間２０Ｍ（例えばウエスト部２３の全幅の１／４〜１／２程度の範囲）ではウエスト開口の縁に近づくにつれて長くなり、これよりも幅方向ＷＤの外側２０Ｓではウエスト開口の縁に近づくにつれて短くなっていてもよい。この場合、ウエスト部２３の無孔帯３２の直交方向ＸＤの寸法が、幅方向ＷＤの位置により変化する。ここで、本態様における、無孔帯３２の直交方向ＸＤの寸法が長い部分は弾性シート３０の面積が大きくなるものの、その幅方向ＷＤの少なくとも一方は直交方向ＸＤの寸法が短いため、締め付け力としては弱くなる。この結果、本態様では、腹部を締め付ける部分ではウエスト部２３の縁に近いほど締め付け力が弱くなり、腸骨に接する部分ではウエスト部２３の縁から遠ざかるほど締め付け力が弱くなるため、ウエスト部２３のフィット性がより一層良好となる。一例として、無孔帯３２の直交方向ＸＤの寸法は、最長の寸法が最短の寸法の１．５〜２．５倍程度とすることができる。
【００９０】
他方、図２４に示す例では、ウエスト部２３の伸縮領域８０には、展開状態で、シート接合部４０を有しない部分が幅方向ＷＤに沿って連続する無接合帯５４と、シート接合部４０が幅方向ＷＤに間隔を空けて配置された接合帯５３とが、幅方向ＷＤと直交する直交方向ＸＤに交互に繰り返し設けられている。また、ウエスト部２３の伸縮領域８０における各無接合帯５４には、弾性シート３０が直交方向ＸＤに分断された弾性帯３３が配置されている。このような弾性帯３３の分断は、弾性シート３０における分断位置に沿ってシート接合部４０を密に配置し、シート接合部４０とともに形成される接合孔３１の間の部分をすべて破断させることにより行うことができる。さらに、ウエスト隣接部２２の伸縮領域８０には、展開状態で、接合孔３１を有しない部分が幅方向ＷＤに沿って連続する無孔帯３２が少なくとも一本（図示例では無孔帯３２と、シート接合部４０が幅方向ＷＤに間隔を空けて配置された接合帯５３とが、直交方向ＸＤに交互に繰り返し）設けられるとともに、ウエスト部２３における複数本の弾性帯の直交方向ＸＤの寸法が、ウエスト隣接部２２の無孔帯３２の直交方向ＸＤの寸法よりも広くなっている。ウエスト隣接部２２の伸縮領域８０の一部又は全部は、無孔帯３２を有しない前述の構造（図９に示す例、図１１に示す例及び図１５に示す例）となっていてもよい。
【００９１】
この例では、ウエスト部２３の弾性帯３３は弾性シート３０の分断により形成されているとともに、ウエスト部２３における複数本の弾性帯３３の直交方向ＸＤの寸法がウエスト隣接部２２の無孔帯３２の直交方向ＸＤの寸法よりも長いか、又はウエスト隣接部２２に無孔帯３２が設けられていない。したがって、単一の弾性シート３０によりウエスト部２３及びウエスト隣接部２２に伸縮性が付与されるものでありながら、ウエスト部２３の厚み増加なく、つまり弾性シート３０が単層（折り返しなどにより複数層になっていない）であっても、ウエスト部２３をより強く締め付けることができる。さらに、弾性シート３０がウエスト部２３からウエスト隣接部２２にわたり連続せずに、ウエスト部２３の伸縮領域８０に弾性シート３０が分断された弾性帯３３が設けられるため、ウエスト部２３の外観がウエスト隣接部２２の外観と異なり、ウエスト部２３の外観を目立たせることが可能となる。
【００９２】
ウエスト部２３の弾性帯３３及びウエスト隣接部２２における無孔帯３２の直交方向ＸＤの寸法は適宜定めればよい。一例として、弾性シート３０が厚み２０〜４０μｍの弾性フィルムである場合、ウエスト部２３における複数本の弾性帯３３の直交方向ＸＤの寸法は２〜５ｍｍであり、ウエスト隣接部２２の無孔帯３２の直交方向ＸＤの寸法は、ウエスト部２３における複数本の弾性帯３３の直交方向ＸＤの寸法の０．２５倍以下であるか、又は、ウエスト隣接部２２に無孔帯３２が設けられていないと好ましい。
【００９３】
ウエスト部２３における複数本の弾性帯３３の直交方向ＸＤの寸法が、ウエスト隣接部２２の弾性帯３３の直交方向ＸＤの寸法よりも長い限り、ウエスト部２３における一本（又は複数本でもよいが、過半数未満であることが好ましい。）の弾性帯３３の直交方向ＸＤの寸法は、ウエスト隣接部２２の弾性帯３３の直交方向ＸＤの寸法より短くてもよい。この場合における、ウエスト隣接部２２の弾性帯３３の直交方向ＸＤの寸法より短い、ウエスト部２３の弾性帯３３は、ウエスト部２３におけるウエスト開口側の端部に位置するもののみであることが望ましいが、ウエスト部２３の直交方向ＸＤの中間に位置していてもよい。
【００９４】
ウエスト部２３の弾性帯３３の数は、締め付け力に応じて定まる弾性帯３３の直交方向ＸＤの寸法と、ウエスト部２３の直交方向ＸＤの寸法とにより自ずと定まるものであるが、通常の場合３〜７本程度であることが好ましい。
【００９５】
シート接合部４０の寸法及び配置は、弾性シート３０が分断可能な限り適宜定めればよいが、通常の場合、シート接合部４０の伸縮方向ＥＤの寸法は０．５〜３．０ｍｍであり、伸縮方向ＥＤの間隔は２〜５ｍｍであると好ましい。
【００９６】
図２４に示す例における他の事項は、前述の図１９等に示す例と同様である。
【００９７】
（非伸縮領域）
外装体２０における弾性シート伸縮構造２０Ｘを有する領域には、図２に示すように、伸縮領域８０の少なくとも幅方向一方側に非伸縮領域７０を設けることができる。非伸縮領域７０は、伸縮方向の最大伸びが１２０％以下を意味する。非伸縮領域７０の最大伸びは１１０％以下であると好ましく、１００％であるとより好ましい。伸縮領域８０及び非伸縮領域７０の配置は適宜定めることができる。本例のようなパンツタイプ使い捨ておむつの外装体２０の場合、吸収体１３と重なる部分は伸縮が不要な領域であるため、図示形態のように、吸収体１３と重なる部分の一部又は全部（内外固定領域１０Ｂのほぼ全体を含むことが望ましい）を非伸縮領域７０とするのは好ましい。つまり、ウエスト部２３の伸縮領域８０は、ウエスト部２３の幅方向ＷＤ全体（サイドシール部２１除く）にわたり連続しているが、ウエスト隣接部２２の一部が非伸縮領域７０となっている。もちろん、吸収体１３と重なる領域からその幅方向ＷＤ又は前後方向ＬＤに位置する吸収体１３と重ならない領域にかけて非伸縮領域７０を設けることもでき、吸収体１３と重ならない領域にのみ非伸縮領域７０を設けることもできる。
【００９８】
非伸縮領域７０における個々のシート接合部４０の形状は、特に限定されず、前述した形状から適宜選択することができる。
【００９９】
また、非伸縮領域７０におけるシート接合部４０の面積率及び個々のシート接合部４０の面積は適宜定めることができるが、通常の場合、次の範囲内とすると、各シート接合部４０の面積が小さくかつシート接合部４０の面積率が低いことにより非伸縮領域７０が硬くならいためが好ましい。
シート接合部４０の面積：０．１０〜０．７５ｍｍ2（特に０．１０〜０．３５ｍｍ2）
シート接合部４０の面積率：４〜１３％（特に５〜１０％）
【０１００】
非伸縮領域７０は、弾性シート３０の収縮力により第１シート層及び第２シート層が収縮して襞が形成されないようにシート接合部４０を密に配置すること等によって形成することができる。非伸縮領域７０の形成手法の具体例としては、例えば特許第５９８０３５５号、特許第５９１８８７７号、特許第５９８０３６７号、特許第６０４９２２８号に示されるものを挙げることができる。
【０１０１】
＜明細書中の用語の説明＞
明細書中の以下の用語は、明細書中に特に記載が無い限り、以下の意味を有するものである。
・「前身頃」「後身頃」は、パンツタイプ使い捨ておむつの前後方向中央を境としてそれぞれ前側及び後側の部分を意味する。また、股間部は、パンツタイプ使い捨ておむつの前後方向中央を含む前後方向範囲を意味し、吸収体が括れ部を有する場合には当該括れ部を有する部分の前後方向範囲を意味する。
・「最大伸び」とは、伸縮方向ＥＤの伸びの最大値（換言すれば第１シート層及び第２シート層が収縮や弛み無く平坦に展開した展開状態の伸び）を意味し、展開状態の長さを自然長を１００％としたときの百分率で表すものである。
・「面積率」とは単位面積に占める対象部分の割合を意味し、対象領域（例えば伸縮領域８０、非伸縮領域７０）における対象部分（例えばシート接合部４０、接合孔３１の開口、通気孔）の総和面積を当該対象領域の面積で除して百分率で表すものであり、特に伸縮構造を有する領域における「面積率」とは、展開状態の面積率を意味するものである。対象部分が間隔を空けて多数設けられる形態では、対象部分が１０個以上含まれるような大きさに対象領域を設定して、面積率を求めることが望ましい。
・「伸長率」は、自然長を１００％としたときの値を意味する。
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
・吸収体の「厚み」は、株式会社尾崎製作所の厚み測定器（ピーコック、ダイヤルシックネスゲージ大型タイプ、型式Ｊ−Ｂ（測定範囲０〜３５ｍｍ）又は型式Ｋ−４（測定範囲０〜５０ｍｍ））を用い、試料と厚み測定器を水平にして、測定する。
・上記以外の「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
・「引張強度」及び「引張伸度（破断伸び）」は、試験片を幅３５ｍｍ×長さ８０ｍｍの長方形状とする以外は、ＪＩＳ  Ｋ７１２７：１９９９「プラスチック−引張特性の試験方法−」に準じて、初期チャック間隔（標線間距離）を５０ｍｍとし、引張速度を３００ｍｍ／ｍｉｎとして測定される値を意味する。引張試験機としては、例えばＳＨＩＭＡＤＺＵ社製のＡＵＴＯＧＲＡＰＨ  ＡＧＳ−Ｇ１００Ｎを用いることができる。
・「伸長応力」とは、ＪＩＳ  Ｋ７１２７：１９９９「プラスチック−引張特性の試験方法−」に準じて、初期チャック間隔（標線間距離）を５０ｍｍとし、引張速度を３００ｍｍ／ｍｉｎとする引張試験により、弾性領域内で伸長するときに測定される引張応力（Ｎ／３５ｍｍ）を意味し、伸長の程度は試験対象により適宜決定することができる。試験片は幅３５ｍｍ、長さ８０ｍｍ以上の長方形状とすることが好ましいが、幅３５ｍｍの試験片を切り出すことができない場合には、切り出し可能な幅で試験片を作成し、測定値を幅３５ｍｍに換算した値とする。また、対象領域が小さく、十分な試験片を採取できない場合であっても、伸長応力の大小を比較するのであれば、適宜小さい試験片でも同寸法の試験片を用いる限り少なくとも比較は可能である。引張試験機としては、例えばＳＨＩＭＡＤＺＵ社製のＡＵＴＯＧＲＡＰＨ  ＡＧＳ−Ｇ１００Ｎを用いることができる。
・「展開状態」とは、収縮や弛み無く平坦に展開した状態を意味する。
・各部の寸法は、特に記載が無い限り、自然長状態ではなく展開状態における寸法を意味する。
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【０１０２】
本発明は、弾性シートにより弾性伸縮する伸縮部材を備えたものである限り、上記例のようなパンツタイプ使い捨ておむつの他、テープタイプ使い捨ておむつ、スイミングや水遊び用の使い捨て着用物品等、使い捨て着用物品全般に利用できるものである。
【符号の説明】
【０１０３】
１０…内装体、１０Ｂ…内外固定領域、１１…トップシート、１２…液不透過性シート、１３…吸収体、１３Ｎ…括れ部分、１４…包装シート、１７…無吸収体側部、２０…外装体、２０Ａ…第１シート層、２０Ｂ…第２シート層、２０Ｃ…折り返し部分、２０Ｘ…弾性シート伸縮構造、２１…サイドシール部、２２…ウエスト隣接部、２３…ウエスト部、２５…収縮襞、３０…弾性シート、３１…接合孔、３２…無孔帯、３３…弾性帯、４０…シート接合部、５１，５２…無接合帯、５１…第１無接合帯、５１ｄ…第１方向、５１ｓ…第１間隔、５１ｗ…第１幅、５２…第２無接合帯、５２ｄ…第２方向、５３…接合帯、７０…非伸縮領域、８０…伸縮領域、９０…立体ギャザー、９３…倒伏部分、９４…自由部分、９５…ギャザーシート、９６…ギャザー弾性部材、Ｂ…後身頃、ＥＤ…伸縮方向、Ｆ…前身頃、Ｌ…中間部、Ｔ…胴周り部、ＬＤ…前後方向、ＷＤ…幅方向、ＸＤ…直交方向。